(57)【要約】      （修正有）【課題】小物類を簡単に出し入れすることができ、非使用時は家具本体内に簡便に収納しておくことができると共に、回動体の閉塞動作を緩やかに行うことができる家具を提供する。【解決手段】家具本体１にその内部に空間部を有し、上部に空間部と連なる開口部を形成させた収容体２を設けて、この収容体２内に上下動自在となるように物品載置体３を設け、収容体２の上部へ回動手段２５により回動自在となるように回動体４を設けて、この回動体４と物品載置体３とへ第一軸３１と第二軸３２とにより連結リンク５をそれぞれ取り付けると共に、回動体４と家具本体１とへ第三軸と第四軸とにより、回動体４の自重による開閉時の作動を抑制させる緩衝部材６をそれぞれ取り付ける。【選択図】図１
2005130973.tif 000002
【特許請求の範囲】
【請求項１】
家具本体と、該家具本体に設けてその内部に空間部を有し、上部に前記空間部と連なる開口部を形成させた収容体と、この収容体内に上下動自在となるように設けた物品載置体と、前記収容体の上部へ回動手段により回動自在となるように設けた回動体と、この回動体と前記物品載置体とへ第一軸と第二軸とによりそれぞれ取り付けた連結リンクと、前記回動体と前記家具本体とへ第三軸と第四軸とによりそれぞれ取り付けて、前記回動体の自重による開閉時の作動を抑制させる緩衝部材とを備えさせたことを特徴とする家具。
【請求項２】
物品載置体は、前板と後板，両側板および底板とからなる上部が開放した箱状に形成して、その内部に物品の収納部を設け、該物品載置体の外周側部を前記収容体の内壁に当接させ、この収容体の内壁を昇降ガイドとしたことを特徴とする請求項１記載の家具。
【発明の詳細な説明】
【技術分野】
【０００１】
本発明は、小物類を簡単に出し入れすることができ、非使用時は家具本体内に簡便に収納しておくことができると共に、回動体の閉塞動作を緩やかに行うことができる家具に関する。
【背景技術】
【０００２】
先に、本発明者は、化粧品類の小物の収納にあって、ワンタッチ操作により家具本体の外部へ引き出して使用できると共に、簡便に収納して小物などが家具本体から露出することができる家具を市場提供した（例えば、特許文献１参照。）。
【０００３】
【特許文献１】実用新案登録第３０７４９２８号公報
【０００４】
このものは、蓋体が重量のあるものであったり、家具本体の収容空間内へ昇降自在に設けた移動体に載置した化粧品類の小物が重かったりしたときは、この移動体を収容空間内へ仕舞おうとしたとき、前記蓋体や移動体の重量によって、該蓋体が勢いよく回動して家具本体へ当たり、これによって大きな閉塞音が生じたり、蓋体と家具本体との間に指を挟んだりする問題点があった。
【発明の開示】
【発明が解決しようとする課題】
【０００５】
本発明は、前記した問題点を解決するためになされたもので、家具本体にその内部に空間部を有し、上部に前記空間部と連なる開口部を形成させた収容体を設けて、この収容体内に上下動自在となるように物品載置体を設け、前記収容体の上部へ回動手段により回動自在となるように回動体を設けて、この回動体と前記物品載置体とへ第一軸と第二軸とにより連結リンクをそれぞれ取り付けると共に、前記回動体と前記家具本体とへ第三軸と第四軸とにより、前記回動体の自重による開閉時の作動を抑制させる緩衝部材をそれぞれ取り付けることにより、小物類を簡単に出し入れすることができ、非使用時は家具本体内に簡便に収納しておくことができると共に、回動体の閉塞動作を緩やかに行うことができる家具を提供することを目的としている。
【課題を解決するための手段】
【０００６】
前記した目的を達成するための本発明の手段は、
家具本体と、該家具本体に設けてその内部に空間部を有し、上部に前記空間部と連なる開口部を形成させた収容体と、この収容体内に上下動自在となるように設けた物品載置体と、前記収容体の上部へ回動手段により回動自在となるように設けた回動体と、この回動体と前記物品載置体とへ第一軸と第二軸とによりそれぞれ取り付けた連結リンクと、前記回動体と前記家具本体とへ第三軸と第四軸とによりそれぞれ取り付けて、前記回動体の自重による開閉時の作動を抑制させる緩衝部材とを備えさせた家具の構成にある。
【０００７】
物品載置体は、前板と後板，両側板および底板とからなる上部が開放した箱状に形成して、その内部に物品の収納部を設け、該物品載置体の外周側部を前記収容体の内壁に当接させ、この収容体の内壁を昇降ガイドとしてある。
【発明の効果】
【０００８】
本発明は、小物類を簡単に出し入れすることができ、非使用時は家具本体内に簡便に収納しておくことができる。また、回動体の閉塞動作を緩やかに行うことができるので、閉塞時、回動体が勢いよく回動して家具本体へ当たり、これによって大きな閉塞音が生じたり、回動体と家具本体との間に指を挟んだりする不都合を生じさせない。
【発明を実施するための最良の形態】
【０００９】
次に、本発明に関する家具の一実施例を図面に基づいて説明する。
図１，図５〜図６においてＡは、本発明実施例における家具であって、例えば、図５に示すように、鏡台やタンス，机，収納棚等の家具類ｂと一体に形成したり、これらの家具類ｂと組み合わせて使用するものであって、家具本体１と、収容体２と、物品載置体３と、回動体４と、連結リンク５と、緩衝部材６とにより基本的に構成される。
なお、前記した家具類ｂは、例えば、図５に示すように、縦長の箱状に形成した家具類本体７の前部に、姿見８や扉体９を蝶番１０により開閉自在に取り付けてあって、該姿見８や扉体９を開くと内部に形成した収納部の使用が行える。
【００１０】
そして、前記した家具本体１は、単体または複数にわたる箱形に成形してあり、引き出しや引き戸あるいは開き戸，棚等の収納体１１を適宜複数箇所に形成してある。
【００１１】
前記した収容体２は、前板となる側枠体２２や両側枠体２０，２１，背板等により縦長状の箱形に形成してあって、その横断面は、四角形や多角形、あるいは円形，楕円形等の任意な形状に形成してあり、本発明実施例においては、横断面が四角形となるように形成されている。
また、図５に示すように、家具類ｂと組み合わせて使用するときは、家具本体１の正面において家具類ｂの左右どちらか一側へ偏らせて並べ設けてあり、すなわち、前記姿見８に干渉しないようにその側方に位置させて設けてあり、その箱形の内部に後記する物品載置体３が挿入される空間部１２を有し、上部に空間部１２と縦方向へ連なる開口部１３を形成させてある。
【００１２】
前記した物品載置体３は、その平面形状が、収容体２の横断面に見合うような形状を有していて、例えば、図１等に示すように、前板１４と後板１５、両側板１６，１７および底板１８とからなる上部が開放したその平面形状が四角形となる箱状に形成して、その内部に物品の収納部１９を設けてある。
更に、この物品載置体３は、該物品載置体３の外周側部を、すなわち、前板１４と後板１５、両側板１６，１７の外側面を、収容体２における側枠体２０，２１，２２および仕切り体２３の内壁に当接させ、この収容体２における側枠体２０，２１，２２および仕切り体２３の内壁を容易に摺動し得る隙間を設けてあって、該側枠体２０，２１，２２および仕切り体２３の内壁を物品載置体３の昇降ガイドとしてある。
なお、前記仕切り体２３は、図４に示すように、側枠体２０，２１に刻設した縦溝２４，２４へ嵌着させてあって、後記する緩衝部材６の収納空間が得られるようにした区画部を形成してある。
また、この物品載置体３の収納部１９内には、化粧品等のいくつかの小物等の物品を載置させ収納することができる。
【００１３】
前記した回動体４は、収容体２の上部、すなわち、その開口部１３へ蝶番や支軸などからなる回動手段２５により略水平状態と略垂直状態との略９０°の範囲を回動自在となるように設けてある。
この回動体４は、図１等に示すように、枠体２６と、この枠体２６内へ前後方向に対して摺動するように取り付けた引き出し２７とからなり、該枠体２６が、略水平状態に位置したとき、図３および図５に示すように、収容体２の開口部１３を閉塞すると共に、枠体２６の上面２６ａが化粧品等のいくつかの小物等の物品を載置する台となる。
【００１４】
また、この回動体４は、枠体２６と引き出し２７とからなることで、回動手段２５に近い部位において、すなわち、後記する板体２８の回動内端側に重心を設けることで、図３および図５に示すように、板体２８を略垂直状態に位置させたときの、該板体２８の誤って傾倒することを防止しこの板体２８の垂直の安定保持性を図ることができる。
【００１５】
前記した板体２８は、回動体４の外側端部に取り付けて、すなわち、枠体２６が略水平状態に位置したときにおいて、該枠体２６の最外側部へ起立状態に取り付けてあるもので、図３および図５に示すように、該回動体４が略水平状態のとき、収容体２における側体２１と略一直線状に配された略垂直状態に位置し、図１および図２に示すように、回動体４が略９０゜展開されて略垂直状態のとき、家具本体１の正面において収容体２とは他側へ略９０゜倒れて略水平状態に位置する。
【００１６】
これにより、該板体２８が略垂直状態のときは、家具本体１の正面部およびその付近は板体２８の展開による突出物がなくなる。
また、板体２８が略水平状態のときは、図５に示すように、家具本体１の側板適所か姿見８の縁部適所に設けた受体３０に当接することで、該板体２８の上面がテーブル状となり、筆記等の作業や、この板体２８上に化粧等の必要道具や化粧品等の物品を載置させることができる。
なお、図示してないが、この板体２８の略水平状態時には、着座状態で化粧などができる椅子が設けられ、この椅子に座りながら物品載置体３や板体２８上の物品を使用することができる。
【００１７】
前記した連結リンク５は、回動体４と物品載置体３とへ回動体４における枠体２６底部へ取付部材を介して設けた第一軸３１と物品載置体３における後板１５の内側面へ取付部材を介して設けた第二軸３２とによりそれぞれ取り付けて、これら回動体４および物品載置体３とが連動して動くように接続してあるもので、板体２８を介しての回動体４の展開運動によって、この連結リンク５を介して物品載置体３に上下動運動を与える。
すなわち、図３および図５に示すように、回動体４が、回動手段２５を支点とした展開運動にあって、略水平状態に位置したとき、連結リンク５により接続させた物品載置体３を収容体２の空間部１２における下側に移動させさせ、図１および図２に示すように、回動体４が略垂直状態に位置したとき、物品載置体３を連結リンク５により収容体２の空間部１２における上側に移動させ、該物品載置体３の上部を、すなわち、その収納部１９を収容体２の開口部１３へ位置させる運動を行うものである。
【００１８】
前記した緩衝部材６は、回動体４と家具本体１（収容体２の内壁）とへ第三軸３４と第四軸３５とによりそれぞれ取付部材３６，３７を介して取り付けて、回動体４および物品載置体３の自重による開閉時、特には閉塞時の作動にブレーキを与えて回動動作を抑制させる。
【００１９】
この緩衝部材６は、収容体２の一側に形成された前記区画部内に納まるように（特に、図３に示すように、回動体４の閉塞時に）設けられていて、第三軸３４へその一端部を取り付けたリンク体３８と、第四軸３５へその一端部を取り付けた抑制体３９とをそれぞれの他端部を回動軸４０により回動自在に連結してある。
【００２０】
また、抑制体３９は、その一端部の第四軸３５へコイルばね等の弾性部材４１の一方端を取り付け、この弾性部材４１の他方端を該抑制体３９における框体４２へ係合させてある。
この緩衝部材６と連結リンク５とは、収容体２内の一側へ片寄らせて並設することで、物品の出し入れ等の作業において邪魔にならない。
【００２１】
したがって、図１および図２に示すように、収容体２の開口部１３が開放された状態から、回動体４を開口部１３へ向かって回動（閉塞）する方向へ回動させると、この回動運動に伴って、リンク体３８および抑制体３９が第三軸３４と第四軸３５，回動軸４０を中心として回動屈曲し、かつ、弾性部材４１がこの回動屈曲により圧縮されるので、これに相応して、抑制体３９の回動屈曲が抑制され、すなわち、回動体４の回動運動が抑制されるので、該回動体４から手を離した状態であっても、この回動体４はその自重によりゆっくりと閉塞方向へ回動し、ついには、該回動体４の底部が収容体２の上端面に当接する、いわゆる、開口部１３の閉塞が行われる。
【００２２】
前記のように構成される本発明に係る一実施例の家具Ａは、以下に述べる作用を奏するもので、本実施例にあっては、鏡台に利用した例について説明する。まず、使用時にあっては、図５に示すように、家具類本体７の一側部へ本実施例の家具Ａを取り付け、この家具Ａにおける家具本体１の偏った状態の略垂直状態に位置している板体２８を、家具本体１における姿見８側へ倒す。（図１参照）
すると、この板体２８は、回動体４と収容体２における側枠体２０とに設けた回動手段２５を中心として徐々に回動して略９０゜の範囲を回動移動するもので、家具本体１の側板適所か姿見８の縁部適所に設けた受体３０に、該板体２８の下面が当接することで略水平状態に支持され、平滑状のテーブル状となる。
【００２３】
このとき、回動体４の回動に伴って、該回動体４によって閉塞されていた収容体２の開口部１３が開放されると共に、この回動体４と収容体２の空間部１２に挿入されている物品載置体３とに接続した連結リンク５によって、円弧軌跡により牽引され、この牽引運動が、該物品載置体３に対して回動体４が回動した分だけ、前記昇降ガイドに沿ってかつ安定した垂直状態で上昇させる。
【００２４】
そして、前記したように、板体２８の略９０゜回動に達すると、物品載置体３の収納部１９は、図１および図２等に示すように、収容体２の上部（開口部１３）に位置する。
したがって、この収納部１９に収納した化粧品や化粧用具などの小物が収容体２の開口部１３から露出して、椅子などに着座状態で手に取り使用することができる。
また、必要に応じて、テーブル状となった板体２８に日常頻繁に使用する化粧品等の小物などの物品を載置しておくこともでき、化粧などがすめば、収納部１９へ直ぐに手が届いて、あるいは使用後に元へ戻せて、使用にあって甚だ便利である。
【００２５】
家具Ａを使用しないときは、図１および図２に示す状態から、回動体４を回動手段２５を中心に、家具本体１に対して外方へ回動させれば、該回動体４は、この回動体４の回動に伴って、連結リンク５を介して物品載置体３を降下させる。
このとき、回動体４と物品載置体３とへ第三軸３４と第四軸３５とによりそれぞれ取付部材３６，３７を介して緩衝部材６を取り付けてあるので、回動体４および物品載置体３の自重による閉塞時の作動に、この回動体４および物品載置体３に対してその閉塞方向および降下方向へのブレーキを与えて回動動作を抑制させるため回動体４はゆっくりと回動し、かつ、物品載置体３はゆっくりと降下する。
【００２６】
したがって、回動体４が勢いよく回動して、該回動体４の底面が家具本体１における収容体２の上面へ当たることがなく、これに起因する大きな閉塞音を生じさせたり、回動体４と家具本体１における収容体２の上面との間に指を挟んだりする不都合が解消され、安全に使用することができる。
また、物品載置体３の収納部に載置した化粧品等の物品は、該物品載置体３の急激移動による傾倒等を起こす事がない。
【００２７】
そして、図３に示すように、収容体２の開口部１３を全閉するので、この物品載置体３の収納部１９上に載置した比較的背丈の高い小物などの物品ｂであっても、物品載置体３の全体が、収容体２内の空間部１２に納まり、家具本体１の外部には全く露出しない。
【００２８】
特に、板体２８は、略垂直状態に起立し、その全荷重は、回動体４を介して収容部２に支承され、容易に家具本体１の内方へ転倒することがなく、しかも、この板体２８は、回動体４が略水平状態でしかも収容体２の上面へ安定的に支承された状態において、回動手段２５から最も遠くの距離となる回動体４における枠体２６の最外側に取り付けた構成であるため、略垂直状態に起立した姿勢は簡単に崩れた妄動を起こすことなく、安全にその姿勢を保持させることができる。いわゆる、回動体４が下側に位置する重心の重錘の作用を行う。
また、回動手段２５が、図３等に示すように、収容体２の開口部１３を閉塞させた略水平状態において、収容体２において側体１９の内側上端縁と、回動体４において枠体２６の内側か端縁との当接部に設けられているため、収容体２外側部が例えば壁面へぴったりと寄せて設置された場合であっても、枠体２６最外側部に取り付けられた板体２８は、前記壁面へ全く干渉することなく容易に回動させることができる。
【００２９】
更に、板体２８が略垂直状態に起立することで、家具本体１の一側に偏った側部に仕舞うことができて、この板体２８が邪魔にならないと共に、該板体２８の展開範囲を略９０゜に抑えることができて、これにより、幅方向に比較的長尺状に形成しても、非使用時における板体２８の起立収納に場所を取らないのでテーブル状となったとき、物品の載置量が増える。
また、この非使用時にあって、収容体２の開口部１３の閉塞は、板体２８によらず、板体２８を支承している回動体４により行うため、収容体２の幅寸法を可及的短尺に形成することができ、強いては、家具Ａの幅寸法を小さくしたコンパクトのものを製作することができる。
【００３０】
また、回動体４上には何も載置物がないので、すっきりとして、外観上の体裁がすこぶる良好となるものである。
【００３１】
なお、板体２８を略垂直状態に起立させることにより、家具本体１に設けた姿見８の前部を遮るものがなくなるため、全身を映したり着物などの着付け時に便利に使用できる。
【００３２】
なお、本発明実施例に係る家具Ａは、図６に示すように、回動体４と物品載置体３とへ第一軸３１と第二軸３２とによりそれぞれ取り付けた連結リンク５と、回動体４と家具本体１とへ第三軸３４と第四軸３５とによりそれぞれ取り付けてた緩衝部材６とは、回動体４に対してその幅方向の両端部にそれぞれ離れて配設してもよい。
更に、この場合、緩衝部材６は物品載置体３と家具本体１の収容体２における空間部１２に位置するように設けられるため、物品載置体３の昇降に際して円滑な上下動が行えるように、収容体２内に縦ガイド４５を設けて、この縦ガイド４５へ物品載置体３を摺動自在に係合させることにより、スムーズな上下動が得られる。
図６において４６は、回動体４の裏面に張設した鏡体で、該回動体４を、例えば、約１１０゜前後に起こすことで、鏡台として使用でき、この回動体４を略水平に倒して、その両側に位置する家具本体１に付設した側天板４７，４８と、該回動体４の上面とを略面一にすることで、テーブルとして利用することができる。
【図面の簡単な説明】
【００３３】
【図１】本発明に関する家具の一実施例を示す斜視図である。
【図２】図１における家具において収容体の開口部を開放した状態を示す要部の断面図である。
【図３】図１における家具において収容体の開口部を閉塞した状態を示す要部の断面図である。
【図４】図１における家具において要部を示す平面図である。
【図５】図４における家具において鏡台に採用した例を示す斜視図である。
【図６】本発明に関する家具の他の実施例を示す斜視図である。
【符号の説明】
【００３４】
１…家具本体．２…収容体．３…物品載置体．４…回動体．５…連結リンク．６…緩衝部材．８…姿見．１２…空間部．１３…開口部．１４…前板．１５…後板．１６，１７…両側板．１８…底板．１９…収納部．２５…回動手段．３１…第一軸．３２…第二軸．３４…第三軸．３５…第四軸．
【図１】
2005130973.tif 000003
【図２】
2005130973.tif 000004
【図３】
2005130973.tif 000005
【図４】
2005130973.tif 000006
【図５】
2005130973.tif 000007
【図６】
2005130973.tif 000008